(57)【要約】【課題】ロッドの肉厚を増大させても他のシート構成部品に影響を与えない構成とする。【解決手段】リヤロッド５Ｄは、シートクッション３の両サイドフレーム３Ｆｓ間において、その両端部がそれぞれリヤブッシュ５Ｆを介して各側のサイドフレーム３Ｆｓと連結されている。各リヤブッシュ５Ｆは、内部に軸方向に貫通する貫通孔５Ｆ１ａを有する円筒部５Ｆ１と、円筒部５Ｆ１の軸方向の一端から径方向の外側に張り出す張出し部５Ｆ２と、を備える形状とされている。各リヤブッシュ５Ｆは、それらの円筒部５Ｆ１が各側のサイドフレーム３Ｆｓにシート外側から挿通されてそれらの張出し部５Ｆ２が各側のサイドフレーム３Ｆｓの外側面と当たる位置で軸方向の挿通位置が規制される状態として各側のサイドフレーム３Ｆｓに組み付けられている。リヤロッド５Ｄは、各リヤブッシュ５Ｆの貫通孔５Ｆ１ａ内に軸方向に挿通されてこれらに組み付けられている。【選択図】図３
2015067169.tif 000002
【特許請求の範囲】
【請求項１】
シートフレームにシート内側の領域を延びるロッドが連結された乗物用シートであって、
前記ロッドは、軸部材を介して前記シートフレームと連結されており、
前記軸部材は、内部に軸方向に貫通する貫通孔を有する円筒部と、該円筒部の軸方向の一端から径方向の外側に張り出す張出し部と、を備える形状とされており、
前記軸部材は、前記円筒部が前記シートフレームにシート外側から挿通されて前記張出し部が前記シートフレームの外側面と当たる位置で軸方向の挿通位置が規制される状態として前記シートフレームに組み付けられており、前記ロッドは、前記軸部材の前記貫通孔内に軸方向に挿通されて前記軸部材に組み付けられていることを特徴とする乗物用シート。
【請求項２】
請求項１に記載の乗物用シートであって、
前記ロッドが前記シートフレームの両サイドフレーム間に架け渡されて連結されており、
前記ロッドの各端部が、それぞれ、前記両サイドフレームにシート外側から挿通されて組み付けられた共通部品から成る前記軸部材を介して前記両サイドフレームに連結されていることを特徴とする乗物用シート。
【発明の詳細な説明】
【技術分野】
【０００１】
本発明は、乗物用シートに関する。詳しくは、シートフレームにシート内側の領域を延びるロッドが連結された乗物用シートに関する。
【背景技術】
【０００２】
従来、車両用シートにおいて、シートの着座高さを調整するシートリフタを備えた構成が知られている（特許文献１）。上記シートリフタは、その動作機構が、シートクッションとフロア上のベースとを左右一対のフロントリンクとリヤリンクとで繋ぐ４節リンク機構から構成されている。上記シートリフタは、車両外側のリヤリンクに外付けされた操作レバーから回動力の伝達を受けて、各リンクが一斉にリンク運動することでシートの着座高さを調整する構成となっている。上記左右一対のフロントリンク同士とリヤリンク同士とは、それぞれ、これらをシートクッションと連結する軸部材同士が円管状のロッドを介して互いに一体的に連結された構成となっている。これにより、操作レバーから回動力の伝達を受ける側のリンクと反対側のリンクとが互いに一体的となって回動するようになっており、動作機構の曲げや捩りに対する構造強度が高められた構成となっている。
【先行技術文献】
【特許文献】
【０００３】
【特許文献１】特開２０１２−２５４７７７号公報
【発明の概要】
【発明が解決しようとする課題】
【０００４】
しかし、上記従来技術では、ロッドの管内に軸部材が挿通されて連結された構成となっており、ロッドの構造強度を上げるために肉厚を増大させると、ロッドの外径が大きくなるか、内径が小さくなってしまう。ロッドの外径が大きくなると、その上部にクッションパッドを覆い被せて組み付ける際のスペースが阻害されてしまい、クッション性が阻害されるなどの弊害が生じてしまう。また、ロッドの内径が小さくなると、軸部材が差込めなくなるため、軸部材の差込み部の外径を変更しなければならなくなる。本発明は、上述した問題を解決するものとして創案されたものであって、本発明が解決しようとする課題は、ロッドの肉厚を増大させても他のシート構成部品に影響を与えない構成とすることにある。
【課題を解決するための手段】
【０００５】
上記課題を解決するために、本発明の乗物用シートは次の手段をとる。
第１の発明は、シートフレームにシート内側の領域を延びるロッドが連結された乗物用シートである。ロッドは、軸部材を介してシートフレームと連結されている。軸部材は、内部に軸方向に貫通する貫通孔を有する筒部と、筒部の軸方向の一端から径方向の外側に張り出す張出し部と、を備える形状とされている。軸部材は、筒部がシートフレームにシート外側から挿通されて張出し部がシートフレームの外側面と当たる位置で軸方向の挿通位置が規制される状態としてシートフレームに組み付けられている。ロッドは、軸部材の貫通孔内に軸方向に挿通されて軸部材に組み付けられている。
【０００６】
この第１の発明によれば、軸部材を上記のように構成することにより、軸部材をシートフレームのシート外側に張り出させることなく、ロッドとの重なり代を十分に長く持たせることができる。また、ロッドの肉厚を中心軸側に向けて増大させても、軸部材との組み付け構造に影響はなく、他のシート構成部品に影響を与えないようにすることができる。
【０００７】
第２の発明は、上述した第１の発明において、次の構成とされているものである。ロッドがシートフレームの両サイドフレーム間に架け渡されて連結されている。ロッドの各端部が、それぞれ、両サイドフレームにシート外側から挿通されて組み付けられた共通部品から成る軸部材を介して両サイドフレームに連結されている。
【０００８】
この第２の発明によれば、両サイドフレーム間のピッチが異なるシートであっても、同一の軸部材を用いた共通の部品構成によってロッドを両サイドフレーム間に架け渡して設けることができる。
【図面の簡単な説明】
【０００９】
【図１】実施例１の乗物用シートの概略構成を表した斜視図である。
【図２】主要部の分解斜視図である。
【図３】図１のIII-III線断面図である。
【図４】両サイドフレーム間のピッチが長くなった場合の断面図である。
【発明を実施するための形態】
【００１０】
以下に、本発明を実施するための形態について、図面を用いて説明する。
【実施例１】
【００１１】
始めに、実施例１のシート１（乗物用シート）の構成について、図１〜図４を用いて説明する。本実施例のシート１は、図１に示すように、自動車の助手席として構成されており、着座乗員の背凭れとなるシートバック２と、着座部となるシートクッション３と、を備えた構成となっている。上記シート１は、いわゆる「パワーシート」の構成となっており、シートバック２の背凭れ角度の調整やシートクッション３の着座位置の調整をそれぞれ電動スイッチの操作によって行うことができる構成となっている。
【００１２】
具体的には、シートバック２は、その骨格を成すバックフレーム２Ｆの左右両側のサイドフレーム２Ｆｓの下端部が、それぞれ、電動式のリクライナ４を介して、シートクッション３の骨格を成すクッションフレーム３Ｆの左右両側のサイドフレーム３Ｆｓの後端部に結合されたブラケット３Ｆｂに連結された構成となっている。これにより、シートバック２は、常時は上述した各リクライナ４によってその背凭れ角度が固定された状態に保持され、図示しない電動スイッチの操作によって各リクライナ４が回動操作されることにより、その背凭れ角度が前後方向に調整される構成となっている。
【００１３】
また、シートクッション３は、車両のフロア上に、左右一対の電動式のスライドレール６を介して連結された構成となっている。これにより、シートクッション３は、常時は上述した各スライドレール６によってその着座位置が固定された状態に保持され、図示しない電動スイッチの操作によって各スライドレール６が作動操作されることにより、その着座位置が前後方向に調整される構成となっている。
【００１４】
また、シートクッション３は、上述した左右一対のスライドレール６との間に、それぞれ電動式のシートリフタ５が介在して設けられた構成となっている。これにより、シートクッション３は、常時は上述したシートリフタ５によってその着座高さが固定された状態に保持され、図示しない電動スイッチの操作によってシートリフタ５が作動操作されることにより、その着座高さが上下方向に調整操作される構成となっている。
【００１５】
上述した各リクライナ４は、それらの中心部にロッド４Ｒが挿通されており、ロッド４Ｒが軸回動操作される動きに伴って各々が一斉にシートバック２の背凭れ角度を前後方向に変動させていくように回動操作されるようになっている。上記ロッド４Ｒは、シートバック２の車両外側のサイドフレーム２Ｆｓの内側面に固定された駆動ユニット４Ｐに連結されており、駆動ユニット４Ｐから伝達される回動力やブレーキ力によって正逆双方向に軸回動操作されたり回転止めされたりするようになっている。
【００１６】
また、シートリフタ５は、その動作機構が、シートクッション３の左右両側のサイドフレーム３Ｆｓとフロア上に固定された左右一対のスライドレール６とを左右一対のフロントリンク５Ａとリヤリンク５Ｂとでそれぞれ繋ぐ左右一対の４節リンク機構から構成されている。上記シートリフタ５は、車両外側のリヤリンク５Ｂが同側のサイドフレーム３Ｆｓに固定された駆動ユニット５Ｐに連結されており、同駆動ユニット５Ｐから受ける回動力により、左右一対のフロントリンク５Ａとリヤリンク５Ｂとがそれぞれ一斉にリンク運動して、シートクッション３（シート１）の着座高さを調整する構成となっている。
【００１７】
上述した左右一対のフロントリンク５Ａ同士と左右一対のリヤリンク５Ｂ同士とは、それぞれ、これらをシートクッション３の各側のサイドフレーム３Ｆｓに連結する各フロントブッシュ５Ｅ同士や各リヤブッシュ５Ｆ同士が円管状のフロントロッド５Ｃやリヤロッド５Ｄを介して互いに一体的に連結された状態となっている。これにより、上述した駆動ユニット５Ｐからの回動力の伝達を受けて回転する車両外側のリヤリンク５Ｂとその反対側（車両内側）のリヤリンク５Ｂ、及び車両外側のフロントリンク５Ａとその反対側（車両内側）のフロントリンク５Ａとが、それぞれ互いに一体的となって回動することができるようになっており、シートリフタ５全体としての曲げや捩りに対する構造強度が高められた状態とされている。
【００１８】
ここで、上述したフロントロッド５Ｃ及びリヤロッド５Ｄがそれぞれ本発明の「ロッド」に相当し、各フロントブッシュ５Ｅや各リヤブッシュ５Ｆがそれぞれ本発明の「軸部材」に相当する。また、クッションフレーム３Ｆが本発明の「シートフレーム」に相当する。
【００１９】
上述したシートリフタ５の構造強度は、例えば、フロントロッド５Ｃやリヤロッド５Ｄの肉厚を増大させることによって高めることができる。しかし、フロントロッド５Ｃやリヤロッド５Ｄの肉厚を増大させると、フロントロッド５Ｃやリヤロッド５Ｄの外径が大きくなるか、内径が小さくなるかのどちらかの状態となってしまう。フロントロッド５Ｃやリヤロッド５Ｄの外径が大きくなると、その上部に覆い被されて組み付けられるクッションパッド３Ｐの設置スペースが阻害されてしまい、クッション性が阻害されるなどの弊害が生じてしまう。具体的には、リヤロッド５Ｄの外径が大きくなると、その上部に覆い被されて組み付けられるクッションパッド３Ｐの肉厚が、前述したシートバック２のサイドフレーム２Ｆｓ間に架橋されたロッド４Ｒの前部や下部に覆い被されるバックパッド２Ｐの肉厚による制約を受けて、薄肉化されたり強干渉状態になったりするなどの弊害が生じてしまう。
【００２０】
また、フロントロッド５Ｃやリヤロッド５Ｄの内径が小さくなると、これらをシートクッション３の各側のサイドフレーム３Ｆｓと連結する各フロントブッシュ５Ｅや各リヤブッシュ５Ｆとの嵌め合いに弊害が生じてしまうおそれが考えられる。しかし、本実施例では、上記のようにフロントロッド５Ｃやリヤロッド５Ｄの内径が小さくなっても、これらと各フロントブッシュ５Ｅや各リヤブッシュ５Ｆとの嵌め合いに弊害が生じないようになっている。
【００２１】
以下、上述したフロントロッド５Ｃやリヤロッド５Ｄの各連結構造について詳しく説明する。なお、上述したフロントロッド５Ｃとリヤロッド５Ｄとは、互いに共通の部品から成っており、各フロントブッシュ５Ｅと各リヤブッシュ５Ｆとも、これら４つ全てが互いに共通の部品から成っており、これらのフロント側とリヤ側における各連結構造も互いに同一の連結構造から成っている。したがって、以下では、これらを代表して、リヤ側の連結構造について詳しく説明することとする。
【００２２】
図２〜図３に示すように、各リヤブッシュ５Ｆは、内部に軸方向に貫通する丸孔状の貫通孔５Ｆ１ａを有する円筒部５Ｆ１と、同円筒部５Ｆ１の軸方向の一端から径方向の外側にフランジ状に張り出す張出し部５Ｆ２と、を備えた断面ハット型の略円筒型形状に形成されている。ここで、上記円筒部５Ｆ１が本発明の「筒部」に相当する。各リヤブッシュ５Ｆは、バーリング加工により上述した断面ハット型の略円筒型形状に形成されている。これらリヤブッシュ５Ｆは、それぞれ、各側のサイドフレーム３Ｆｓに対して、それらの円筒部５Ｆ１がシート幅方向の外側から内側に挿通されることで、それらの張出し部５Ｆ２が各側のサイドフレーム３Ｆｓの外側面と当たる位置で軸方向の挿通位置が規制された状態として組み付けられている。そして、各リヤブッシュ５Ｆは、それらの円筒部５Ｆ１の延びた先の端部側からリヤロッド５Ｄの各端部が貫通孔５Ｆ１ａ内に通されて、各円筒部５Ｆ１の端部とリヤロッド５Ｄの外周面とが溶接により一体的に結合された状態とされている。
【００２３】
上述した各リヤブッシュ５Ｆには、予め、これらにリヤロッド５Ｄが通されて連結される前に、それらの円筒部５Ｆ１が各側のサイドフレーム３Ｆｓに通された状態で、各側のリヤリンク５Ｂの上端部が各円筒部５Ｆ１の外周部にシート幅方向の内側から通されて溶接により一体的に結合された状態とされている。したがって、この状態の各リヤブッシュ５Ｆにリヤロッド５Ｄの各端部が挿通されて一体的に連結されることにより、各側のリヤリンク５Ｂとリヤブッシュ５Ｆとリヤロッド５Ｄとが一体的となって、各リヤブッシュ５Ｆの円筒部５Ｆ１を軸に各側のサイドフレーム３Ｆｓに対して回転することができる状態となる。上記連結構造とされた各リヤブッシュ５Ｆとリヤロッド５Ｄとは、リヤロッド５Ｄの肉厚が内径を狭める方向に増大されても、互いの嵌め合いは変化せず、各リヤブッシュ５Ｆの形状を変更することなく上記と同じ態様で組み付けられる。
【００２４】
このように、本実施例のシート１は、各リヤブッシュ５Ｆ（軸部材）を上記のようにシートクッション３の各サイドフレーム３Ｆｓ（シートフレーム）にシート外側から挿通して組み付ける構成することにより、各リヤブッシュ５Ｆを各サイドフレーム３Ｆｓのシート外側に張り出させることなく、リヤロッド５Ｄ（ロッド）との重なり代を十分に長く持たせることができる。また、リヤロッド５Ｄの肉厚を中心軸側に向けて内径を狭める方向に増大させても、各リヤブッシュ５Ｆとの組み付け構造に影響はなく、他のシート構成部品に影響を与えないようにすることができる。また、各リヤブッシュ５Ｆの軸方向の位置決めをする径方向の外側に張り出す張出し部５Ｆ２が、各サイドフレーム３Ｆｓの両外側の位置に隣接して設けられる構成となるため、これら張出し部５Ｆ２が各サイドフレーム３Ｆｓの間に位置して前述したクッションパッド３Ｐの設置スペースが阻害されてしまうという問題も生じない。
【００２５】
また、上記構成とされた各リヤブッシュ５Ｆが互いに共通部品で構成されていることにより、図４に示すように、シートクッション３の両サイドフレーム３Ｆｓ間のピッチが上記より広い設定とされた場合（或いは、ピッチが狭い設定とされた場合）においても、同一のリヤブッシュ５Ｆを用いた共通の部品構成によってリヤロッド５Ｄを両サイドフレーム３Ｆｓ間に架け渡して設けることができる。なお、リヤロッド５Ｄは、同図に示すように、左右各側のリヤブッシュ５Ｆの円筒部５Ｆ１に対して、必ずしも左右で対称な深さ位置まで挿通されて結合されるものでなくてもよく、常に治具等で一方側のリヤブッシュ５Ｆ（例えば設置部品の少ない車両内側のサイドフレーム３Ｆｓに組み付けられるリヤブッシュ５Ｆ）に対して一定の深さ位置まで挿通される構成としておき、両サイドフレーム３Ｆｓ間の幅方向の広狭に合わせて、他方側のリヤブッシュ５Ｆ（例えば設置部品の少ない車両内側のサイドフレーム３Ｆｓに組み付けられるリヤブッシュ５Ｆ）に挿通する深さ量を調整する構成としてもよい。
【００２６】
以上、本発明の実施形態を１つの実施例を用いて説明したが、本発明は上記実施例のほか各種の形態で実施することができるものである。例えば、本発明の「乗物用シート」は、自動車の助手席以外のシートにも適用することができる他、鉄道等の自動車以外の車両や、航空機、船舶等の他の乗物用に供されるシートにも広く適用することができるものである。
【００２７】
また、本発明の構成は、シートフレームのシート内側の領域を延びるロッドを、軸部材によってシートフレームに連結する構成に対して広く適用することができるものであり、ロッドをシートクッションのサイドフレーム以外のフレーム部位（シートバックのフレームでも可）に連結するものであってもよい。また、本発明の構成は、ロッドの少なくとも一方側の端部を軸部材を介してシートフレームに連結するものであればよい。
【００２８】
また、軸部材の筒部は、角筒や異形筒等の円筒以外の筒形状から成るものであってもよい。また、軸部材の筒部は、閉断面形状に形成されたものでなくてもよく、周方向の一部にスリットが入れられるなどして開断面形状に形成されたものや、周方向に複数に分割されて開断面形状に形成されたものであってもよい。また、張出し部も、筒部の軸方向の一端から径方向の外側に張り出す構成となっているものであればよく、円周方向の一部領域に形成されたものや異形のものなどであってもよい。
【００２９】
また、ロッドは、角管等の円管以外の形状から成るものであってもよい。また、ロッドを軸方向に通す軸部材の貫通孔は、ロッドを軸方向に挿通させられるものであればよく、四角孔等の丸孔以外の形状から成るもの等、必ずしもロッドの外周面の形と一致するものでなくてもよい。また、ロッドと軸部材とは、互いに軸方向の圧入により一体的に結合されるものや、差し込みにより弾性的に掛かり合って抜け止め可能に結合されるものであってもよい。また、ロッドと軸部材とは、互いに相対回転可能な状態に連結されるものであってもよい。
【符号の説明】
【００３０】
１      シート（乗物用シート）
２      シートバック
２Ｆ    バックフレーム
２Ｆｓ  サイドフレーム
２Ｐ    バックパッド
３      シートクッション
３Ｆ    クッションフレーム（シートフレーム）
３Ｆｓ  サイドフレーム
３Ｆｂ  ブラケット
３Ｐ    クッションパッド
４      リクライナ
４Ｒ    ロッド
４Ｐ    駆動ユニット
５      シートリフタ
５Ａ    フロントリンク
５Ｂ    リヤリンク
５Ｃ    フロントロッド（ロッド）
５Ｄ    リヤロッド（ロッド）
５Ｅ    フロントブッシュ（軸部材）
５Ｆ    リヤブッシュ（軸部材）
５Ｆ１  円筒部
５Ｆ１ａ  貫通孔
５Ｆ２  張出し部
５Ｐ    駆動ユニット
６      スライドレール
【図１】
2015067169.tif 000003
【図２】
2015067169.tif 000004
【図３】
2015067169.tif 000005
【図４】
2015067169.tif 000006